(57)【要約】小型カメラ用開閉装置が開示される。本発明の第１実施例によると、本体に形成された露出口にシャッタハウジングが装着される。シャッタハウジングには露出口と連通される貫通口が形成される。シャッタハウジングの内部には開閉パネルが回動可能に装着され貫通口を開閉する。シャッタハウジングの内部に装着される回動レバーは開閉パネルに連結される。回動レバーは開閉パネルを回動させて貫通口を開閉することができる。このような開閉装置は映像撮影機能を使用するときにのみカメラの開放部を開放し、映像撮影機能を使用しないときには開放部を閉鎖することにより、カメラの内部に異物が浸透することを防止する。
2009501357.tif 000002
【特許請求の範囲】
【請求項１】
本体に形成された露出口周縁に装着され、かつ同露出口に連通される貫通口が形成されたシャッタハウジングと、前記シャッタハウジングの内部に回動可能に装着されて前記貫通口を開閉する開閉パネル及び前記貫通口が開閉されるように開閉パネルを回動させるべくシャッタハウジングの内部に回転可能に装着され、かつ前記開閉パネルに連結された回動レバーを含むことを特徴とする小型カメラ用開閉装置。
【請求項２】
前記開閉パネルは半円形状を有する蓋部と、開閉パネルの回動軸心を成すよう前記蓋部の一側端部分に回動ホールが貫通されて拡張された領域を有する回動部、及び前記回動部から前記蓋部と反対方向に延び長孔形のガイドホールが形成されたガイド部を含むことを特徴とする請求項１に記載の小型カメラ用開閉装置。
【請求項３】
前記回動レバーは前記貫通口に対応する内径を有する円板形状であり、その一側面に前記ガイドホールに挿入されるよう１８０度間隔にガイドピンが形成され、その外周面に前記シャッタハウジングの外部に突出するように把手部が形成されることを特徴とする請求項２に記載の小型カメラ用開閉装置。
【請求項４】
前記開閉パネルが閉状態を維持することができるようその端部分が前記回動レバーと前記シャッタハウジングに夫々固定されて開閉パネルに対して閉方向に力を加える引張りバネをさらに含むことを特徴とする請求項３に記載の小型カメラ用開閉装置。
【請求項５】
前記シャッタハウジングには前記回動ホールに挿入されるよう互いに１８０度間隔を置いて回動突起が突出することを特徴とする請求項２に記載の小型カメラ用開閉装置。
【請求項６】
前記回動レバーには、前記貫通口が開状態または閉状態にあるとき、前記開閉パネル及び回動レバーを一時的に固定するために、弾性力を持つストッパーが少なくとも１つ以上装着され、前記シャッタハウジングには前記ストッパーを一時的に支持する支持ホールが夫々形成されることを特徴とする請求項１ないし請求項５のいずれか１つに記載の小型カメラ用開閉装置。
【請求項７】
前記シャッタハウジングを前記本体に付着するための接着シートをさらに含むことを特徴とする請求項１ないし請求項５のいずれか１つに記載の小型カメラ用開閉装置。
【請求項８】
前記本体の外側面に装着され前記シャッタハウジングを囲んで固定するカバーをさらに含むことを特徴とする請求項１ないし請求項５のいずれか１つに記載の小型カメラ用開閉装置。
【請求項９】
本体の開放部の縁に固定される中空のフレームと、前記フレームの中心領域に設けられ、前記開放部を開放するための第1開放口が形成された遮断板と、前記フレーム上に固定さ
れて電力の供給により磁場を発生する巻線されたコイルと、前記コイルに正方向及び逆方向の電流を選択的に供給するための制御部と、前記遮断板と平行な方向に前記フレームに回転可能に設けられ、前記第1開放口に一致する第２開放口が形成される駆動板と、互い
に交差して前記コイルの磁場内に置かれるように前記駆動板に所定の間隔を置いて固定され、前記コイルに向けた面の極性が相反されるように形成された第１マグネット及び第２マグネット、及び前記遮断板に軸支され、前記駆動板に接触され前記駆動板の回転により回転して前記第１開放口を開閉するブレードを含むことを特徴とする小型カメラ用開閉装置。
【請求項１０】
前記コイルの中心には前記第１マグネット及び第２マグネットのうちいずれか１つに磁場
を集中するための磁性体が固定されることを特徴とする請求項９に記載の小型カメラ用開閉装置。
【請求項１１】
前記ブレードには長孔が形成され、前記駆動板には前記長孔に係合される突起が形成されることを特徴とする請求項９に記載の小型カメラ用開閉装置。
【請求項１２】
前記フレームに連結されて前記コイルを安着させ前記駆動板の離脱を防止し、前記第1開
放口に一致する第３開放口が形成された蓋板をさらに含むことを特徴とする請求項９乃至１１のいずれか１つに記載の小型カメラ用開閉装置。
【請求項１３】
本体の開放部の縁に固定されるリング状のフレームと、前記フレームの中心領域に設けられ、前記開放部を開放するための第1開放口が形成された遮断板と、前記フレーム上にス
ライディング可能に設けられる把手と、前記把手に固定されてスライディングされ第１ギア歯が形成されたラックギアと、前記遮断板に軸支され前記第１ギア歯に歯合される第２ギア歯が前記軸支された回転中心から所定半径の円周上に形成される第１リンク、及び前記第１リンクの回転運動を直線運動で伝達されて前記第１開放口を開閉できるように前記遮断板にスライディングされるように設けられる第１ブレードを含むことを特徴とする小型カメラ用開閉装置。
【請求項１４】
前記第１リンクには第１長孔が形成され、前記第１ブレードには前記第１長孔に係合される第１突起が形成されることを特徴とする請求項１３に記載の小型カメラ用開閉装置。
【請求項１５】
前記フレームに連結されて前記把手と前記第１ブレードの離脱を防止するための蓋板をさらに含むことを特徴とする請求項１３または請求項１４に記載の小型カメラ用開閉装置。
【請求項１６】
前記遮断板に軸支され前記第２ギア噛合される第３ギア歯が前記軸支された回転中心から所定半径の円周上に形成される第２リンク、及び前記第２リンクの回転運動を直線運動で伝達されて前記第1開放口を開閉できるように前記遮断板において摺動可能に設けられる
第２ブレードをさらに含むことを特徴とする請求項１３に記載の小型カメラ用開閉装置。
【請求項１７】
前記第２リンクには第２長孔が形成され、前記第２ブレードには前記第２長孔に係合される第２突起が形成されることを特徴とする請求項１５に記載の小型カメラ用開閉装置。
【請求項１８】
前記フレームに連結されて前記把手と前記第１ブレード及び前記第２ブレードの離脱を防止し、前記第１開放口に一致する第２開放口が形成された蓋板をさらに含むことを特徴とする請求項１６または請求項１７に記載の小型カメラ用開閉装置。
【請求項１９】
レンズの前方部に設けられ、前記レンズの前方を開放するためのスライディング空間部を有する遮蔽フレームと、前記スライディング空間部でスライディングされ前記レンズの前方を開閉し突起を有するブレードと、前記遮蔽フレームに回転可能に連結され、前記レンズの前方を開放するための中心孔が回転中心に形成され、前記突起が係合されて自体回転時に前記突起を移動させて前記ブレードを開閉するためのカム溝を有する回転レバーを含むことを特徴とする小型カメラ用開閉装置。
【請求項２０】
前記ブレードは対称する位置に一対が設けられ、前記突起及び前記カム溝は夫々一対で構成されることを特徴とする請求項１９に記載の小型カメラ用開閉装置。
【請求項２１】
前記遮蔽フレームまたは前記回転レバーのうち一側にはストッピング溝が設けられ、他側には前記ストッピング溝に結合されて前記回転レバーの回転角度を制限するためのガイドリブが形成されることを特徴とする請求項１９に記載の小型カメラ用開閉装置。
【請求項２２】
前記回転レバーにはユーザーが手で押すことができるように突出した把手が形成されることを特徴とする請求項１９に記載の小型カメラ用開閉装置。
【請求項２３】
前記遮蔽フレームに結合されて前記ブレードの離脱を防止するためのカバー部材をさらに含むことを特徴とする請求項１９に記載の小型カメラ用開閉装置。
【発明の詳細な説明】
【技術分野】
【０００１】
本発明は小型カメラの開放部に設けられて映像撮影機能の使用時にのみ開放部を開放し、映像撮影機能の非使用時には開放部を閉鎖することにより、カメラが外部衝撃により損傷することを防止すると共にカメラの内部へ異物が浸透することを効果的に防止するための小型カメラ用開閉装置に関する。
【背景技術】
【０００２】
携帯電話のような小型通信機器には、小型のカメラが装着されて、被写体の映像を撮影する機能を果たしている。このような小型カメラのうち短焦点方式のカメラは、被写体の映像が透過される多数のレンズと、透過された映像を撮像するためのイメージセンサなどとが一体型に固定されていた。このようなカメラの場合には、全ての構成要素がケースの内部に固定された状態で外部から遮断され、最前方のレンズのみが外部に露出表出されていた。従って、最前方のレンズに埃が付き、撮像される映像の品質を低下させるおそれがあった。
【０００３】
一方、近年ユーザーのニーズにより小型カメラにも自動フォーカシングとズームを実行する機能が追加された。このような自動フォーカシングとズームを実行しようとすれば、各レンズ間の間隔、及びレンズとイメージセンサ間の間隔を調整せねばならないため、各レンズを機械的に駆動させなければならない。これにより、このような機能性小型カメラは内部に複雑な駆動部が実装されるため、短焦点方式の小型カメラと異に内部を閉鎖することはできなかった。よって、光を通過させるために開放される開放部を通してカメラの内部に異物が浸透することになり、浸透した異物は駆動部の部品の動作性能を低下することになる。
【０００４】
特に、イメージセンサに微細な埃が付着する場合、レンズに異物が付着する場合とは比較にならないほど激しい画質低下を齎す。また、イメージセンサに埃が付着する場合には、その埃を除去できないため、カメラ全体を使用することができなくなる。  従って、カメラの開放部に異物を遮断する装置の必要性が高まった。
【０００５】
以下では、従来技術の一例として、携帯用端末機に内蔵された小型カメラを挙げて説明する。
図２４は従来の構造の小型カメラが装着された携帯用端末機の部分断面図である。図面に示されたように、携帯用端末機は内部に印刷回路基板(図示せず)が装着され、一側面にバッテリー６が着脱可能に装着される本体１と、本体１の上側端部分にヒンジ結合部５により連結されるフォルダー２を含む。
【０００６】
フォルダー２の一側には小型カメラ３が内蔵されている。該カメラ３は本体１内部の印刷回路基板に連結されており、フォルダー２に形成された露出口２ａを通じて外部に露出して被写体を撮影する。図の未説明符号４はアンテナである。
【０００７】
ところで、前記のように携帯用端末機に装着された小型カメラ３はフォルダー２の露出口２ａを通じて常に露出した状態を維持するため、外部衝撃が加えられると損傷が生じるおそれがあり、カメラ３及び露出口２ａ周辺が外部からの埃などにより汚染されて画質が低下する問題点があった。
【発明の開示】
【発明が解決しようとする課題】
【０００８】
本発明は前述した問題点を勘案して案出されたものであって、本発明の目的は小型カメラの開放部に設けられ、映像撮影機能を使用するときにのみ開放部を開放し映像撮影機能を使用しないときには開放部を閉鎖することにより、カメラが外部衝撃により損傷されることを防止すると共にカメラの内部に異物が浸透することを効果的に防止する。
【課題を解決するための手段】
【０００９】
前記の目的を達成するための本発明の一様相による小型カメラ用開閉装置は、本体に形成された露出口に装着され前記露出口と連通される貫通口が形成されるシャッタハウジングと、前記シャッタハウジングの内部に回動可能に装着されて前記貫通口を開閉する開閉パネルと、及び前記開閉パネルを回動させて前記貫通口が開閉され得るように前記シャッタハウジングの内部に回転可能に装着され前記開閉パネルに連結された回動レバーを含む。
【００１０】
前記開閉パネルは、半円形状を有する蓋部と、回動軸中心を成し得るように前記蓋部の一側端部分に回動ホールが貫通され拡張した領域を有する回動部、及び前記回動部から前記蓋部と反対方向に延び長孔形のガイドホールが形成されたガイド部を含む。
【００１１】
前記回動レバーは、前記貫通口に対応する内径を有する円板形状であり、その一側面に前記ガイドホールに挿入されるよう１８０度間隔にガイドピンが形成され、その外周面に前記シャッタハウジングの外部に突出するように把手部が形成される。
【００１２】
前記小型カメラ用開閉装置は、前記開閉パネルが閉まった状態を維持できるようその端部分が前記回動レバーと前記シャッタハウジングに夫々固定されて前記開閉パネルが閉まる方向に力を加える引張りバネをさらに含む。
【００１３】
前記シャッタハウジングには前記回動ホールに挿入されるように互いに１８０度間隔を置いて回動突起が突出する。
前記回動レバーには、前記貫通口の開放状態及び閉鎖状態で前記開閉パネル及び回動レバーを一時的に固定するために、弾性力を持つストッパーが少なくとも１つ以上装着され、前記シャッタハウジングには前記ストッパーを一時的に支持する支持ホールが夫々形成される。
【００１４】
前記小型カメラ用開閉装置は前記シャッタハウジングを前記本体に付着するための接着シートをさらに含む。前記小型カメラ用開閉装置は、前記本体の外側面に装着され前記シャッタハウジングを囲んで固定するカバーをさらに含む。
【００１５】
前記目的を達成するための本発明の他の様相による小型カメラ用開閉装置は、本体の開放部の縁に固定される中空のフレームと、前記フレームの中心領域に設けられ前記開放部を開放するための第１開放口が形成された遮断板と、前記フレーム上に固定されて電源の供給により磁場を発生する巻線されたコイルと、前記コイルに正方向及び逆方向の電流を選択的に供給するための制御部と、前記遮断板と平行な方向に前記フレームに回転可能に設けられ、前記第１開放口に一致する第２開放口が形成される駆動板と、互いに交差して前記コイルの磁場内に置かれるように前記駆動板に所定の間隔をおいて固定され、前記コイルに向かった面の極性が互いに相反されるように形成された第１マグネット及び第２マグネット、及び前記遮断板に軸支され、前記駆動板に接触され前記駆動板の回転により回転して前記第１開放口を開閉するブレードを含む。
【００１６】
前記コイルの中心には、前記第１マグネット及び第２マグネットのうちいずれか１つに磁場を集中するための磁性体が固定される。
前記ブレードには長孔が形成され、前記駆動板には前記長孔に係合される突起が形成さ
れる。
【００１７】
前記小型カメラ用開閉装置は、前記フレームに連結されて前記コイルを安着させ、前記駆動板の離脱を防止し、前記第１開放口に一致する第３開放口が形成された蓋板をさらに含む。
【００１８】
前記目的を達成するための本発明の他の様相による小型カメラ用開閉装置は、
本体の開放部の縁に固定されるリング状のフレームと、前記フレームの中心領域に設けられ前記開放部を開放するための第１開放口が形成された遮断板と前記フレーム上にスライディング可能に設けられる把手と前記把手に固定されてスライディングされ第１ギア歯が形成されたラックギアと前記遮断板に軸支され前記第１ギア歯に歯合される第２ギア歯が前記軸支された回転中心から所定半径の円周上に形成される第１リンク、及び第１リンクの回転運動を直線運動で伝達され前記第１開放口を開閉できるように前記遮断板にスライディングされるように設けられる第１ブレードを含む。
【００１９】
前記第１リンクには第１長孔が形成され、前記第１ブレードには前記第１長孔に結合される第１突起が形成される。
前記小型カメラ用開閉装置は、前記フレームに結合されて前記把手と前記第１ブレードの離脱を防止するための蓋板をさらに含む。
【００２０】
前記小型カメラ用開閉装置は、前記遮断板に軸支され前記第２ギア歯に歯合される第３ギア歯が前記軸支された回転中心から所定半径の円周上に形成される第２リンク、及び前記第２リンクの回転運動を直線運動で伝達され前記第１開放口を開閉できるように前記遮断板にスライディングされるよう設けられる第２ブレードをさらに含む。
【００２１】
前記第２リンクには第２長孔が形成され、前記第２ブレードには前記第２長孔に結合される第２突起が形成される。
前記小型カメラ用開閉装置は、前記フレームに結合されて前記把手と前記第１ブレード及び前記第２ブレードの離脱を防止し、前記第１開放口に一致する第２開放口が形成された蓋板をさらに含む。
【００２２】
前記目的を達成するための本発明の他の様相による小型カメラ用開閉装置は、レンズの前方部に設けられ、前記レンズの前方を開放するためのスライディング空間部を有する遮蔽フレームと、前記スライディング空間部でスライディングされ前記レンズの前方を開閉し突起を有するブレードと、前記遮蔽フレームに回転可能に連結され、前記レンズの前方を開放するための中心孔が回転中心に形成され、前記突起と係合され自体回転時に前記突起を移動させて前記ブレードを開閉するためのカム溝を有する回転レバーを含む。
【００２３】
前記ブレードは対称する位置に一対が設けられ、前記突起及び前記カム溝は夫々一対で構成される。
前記遮蔽フレームまたは前記回転レバーのうち一側にはストッピング溝が設けられ他側には前記ストッピング溝に係合されて前記回転レバーの回転角度を制限するためのガイドリブが形成される。
【００２４】
前記回転レバーにはユーザーが手で押すことができるよう突出した把手が形成される。
前記小型カメラ用開閉装置は、前記遮蔽フレームに連結されて前記ブレードの離脱を防止するためのカバー部材をさらに含む。
【発明の効果】
【００２５】
以上、説明したように本発明によると、映像撮影機能を使用するときにのみカメラの開
放部を開放し、映像撮影機能を使用しないときには開放部を閉鎖することにより、カメラが外部衝撃により損傷することを防止することができ、カメラの内部に異物が浸透することを防止することができる。
【発明を実施するための最良の形態】
【００２６】
以下では、本発明の好ましい実施例による小型カメラ用開閉装置を添付の図面を参照してさらに詳しく説明する。
本発明の第１ないし第３実施例では、携帯用端末機に内蔵された小型カメラを例えとして説明する。この場合、小型カメラ用開閉装置は携帯用端末機に設けられ得る。
【００２７】
図１は本発明の第１実施例による小型カメラ用開閉装置が装着された携帯用端末機の部分断面図、図２は図１に示された小型カメラ用開閉装置の斜視図であり、図３は図１に示された小型カメラ用開閉装置の分解斜視図、図４は図１に示された貫通口が閉まった状態の断面図であり、図５は図１に示された貫通口が開いた状態の断面図である。
【００２８】
図１ないし図５を参照すると、本発明の第１実施例による小型カメラ用開閉装置は携帯用端末機の本体１やフォルダー２いずれにも適用されることができる。
小型カメラ３は本体１やフォルダー２に内蔵され、本体１の内部に装着された印刷回路基板に連結され、本体１やフォルダー２に形成された露出口２ａを通じて必要に応じて外部に露出され被写体を撮影する。
【００２９】
本発明の第１実施例による小型カメラ用開閉装置は 露出口２ａの縁に装着され、上部
シャッタハウジング１１０及び下部シャッタハウジング１２０が結合されて内部収容空間を形成し露出口２ａと連通される貫通口１１２、１２２が夫々提供されたシャッタハウジング１００と、シャッタハウジング１００の内部に夫々回転可能に装着されて相互対称を成し、貫通口１１２、１２２を開閉する開閉パネル１５０、及び開閉パネル１５０を回転させて貫通口１１２、１２２を開閉できるようにシャッタハウジング１００の内部に回転可能に装着され開閉パネル１５０に連結される回動レバー１６０を含む。
【００３０】
下部シャッタハウジング１２０の底面には接着シート１３０が提供され露出口２ａの縁にシャッタハウジング１００を付着する。
開閉パネル１５０は、貫通口１１２、１２２の半分を覆うことができるように半円形状を有する蓋部１５２と、蓋部１５２の一側端部に拡張された領域を有し回動ホール１５５を有する回動部１５４と、回動部１５４から蓋部１５２と反対方向に延びその中心線上に長孔形のガイドホール１５８が端部に形成されたガイド部１５６を含む。
【００３１】
開閉パネル１５０の回動部１５４には回動突起１４０が挿入されて開閉パネル１５０を上部シャッタハウジング１１０に軸支する。上部シャッタハウジング１１０には回動突起１４０を固定するための固定ホール１１４が放射状対称方向に夫々提供される。
【００３２】
回動レバー１６０は貫通口１１２、１２２に対応する内径を有する円板形状を有する。回動レバー１６０の一面にはガイドホール１５８に挿入されるガイドピン１６２が放射状対称方向に夫々突出し、弾性力を有するストッパー１６６が一定の長さだけ外周の外に突出するように装着されるストッパー装着部１６８が放射状対称方向に夫々提供される。また、回動レバー１６０にはシャッタハウジング１００の外部に突出するように、その外周から一定の長さだけ延びてユーザーが手で掴んで回転させ得る把手部１６４が形成される。
【００３３】
上部シャッタハウジング１１０には貫通口１１２、１２２が開いた状態及び閉まった状態であるとき、回動レバー１６０を一時的に停止させるためにストッパー１６６を収容す
る支持ホール１１６が夫々形成される。
【００３４】
このとき、ストッパー１６６は１つのみ装着することができ、支持ホール１１６は貫通口１１２、１２２が開いた状態及び閉まった状態であるときストッパー１６６の位置に対応して形成されることができる。一方、図面に示されたように、支持ホール１１６は夫々のストッパー１６６の位置に対応して放射状対称方向に夫々形成するのが好ましい。
【００３５】
前記のように構成された本発明の第１実施例による小型カメラ用開閉装置は携帯用端末機に内蔵されたカメラ３に適用されるものであって、携帯用端末機の露出口２ａ縁に装着され、露出口２ａを通じて外部に露出するカメラ３に異物が流入されたり損傷が生じないようカメラ３を保護することができる。
【００３６】
以下に、このような小型カメラ用開閉装置が装着されて作動される過程をさらに詳しく説明する。
携帯用端末機に内蔵されたカメラ３を使用しない場合には、図５に示したように、回動レバー１６０の把手部１６４を閉鎖位置に移動させると回動レバー１６０の回転によりガイドピン１６２の位置が一定角度だけ移動するようになる。
【００３７】
このようにガイドピン１６２がガイドホール１５８に対してスライディングされながら回転すると、ガイド部１５６に形成されたガイドホール１５８の長手方向に対し垂直な方向に力を加えることになるため、夫々の開閉パネル１５０は回動ホール１５５を基準に回転することになる。
【００３８】
これにより半円形の各蓋部１５２が当接するようになりシャッタハウジング１００の貫通口１１２、１２２を覆ってカメラ３が外部に露出することを遮断する。
このとき、蓋部１５２により貫通口１１２、１２２が完全に閉まるまで回動レバー１６０が回転すると、回動レバー１６０の一側に装着されたストッパー１６６は上部シャッタハウジング１１０に形成された支持ホール１１６に挿入されて一時的に固定された状態を維持するようになる。
【００３９】
一方、カメラ３を使用して被写体を撮影しようとする場合には、図６に示したように、回動レバー１６０の把手部１６４を貫通口１１２、１２２の開放位置へ移動させる。即ち、図５に示された方向と反対方向へ移動させると、回動レバー１６０の回転によりガイドピン１６２の位置が一定角度だけ図５における移動方向と反対方向に移動するようになる。
【００４０】
このようにガイドピン１６２が回転すると、ガイドホール１５８の長手方向に対し垂直な方向に力を加えることになるため、夫々の開閉パネル１５０が回動ホール１５５を基準に図４に示された方向と反対方向に回転しつつ、円形を成していた開閉パネル１５０が互いに分離されてシャッタハウジング１００の貫通口１１２、１２２が開くようになる。
【００４１】
このとき、貫通口１１２、１２２が完全に開くまで回動レバー１６０は回転し、これにより貫通口１１２、１２２が閉まった状態で一時的に挿入されていた一側のストッパー１６６は弾性変形しながら支持ホール１１６を離脱する。次いで、他側に形成されたストッパー１６６がまた他の支持ホール１１６に挿入されながら一時的に固定された状態を維持するようになる。
【００４２】
このように本発明の第１実施例による小型カメラ用開閉装置は、内蔵された小型カメラ３が露出口２ａを通じて露出される構造を有する携帯用端末機の 露出口２ａ上部に接着
シート１３０を使用して装着され、回動レバー１６０の回転により開閉パネル１５０がシ
ャッタハウジング１００内部で回転しながら貫通口１１２、１２２を開閉するよう構成される。
【００４３】
従って、このような開閉装置を使用することにより、カメラ３を使用しない場合には貫通口１１２、１２２を閉めてカメラ３に異物が流入されたりカメラ３が外力により損傷することを防止することができる。
【００４４】
図６には本発明の第２実施例による小型カメラ用開閉装置が示されている。図面に示されたように、カメラ３が内蔵されて露出口２ａが形成された携帯用端末機の一面には所定の高さで突出した安着部１７４が提供される。安着部１７４には安着溝１７６が形成されて陥った所定の空間を成す。
【００４５】
安着溝１７６には開閉パネル１５０及び回動レバー１６０が内部に装着されたシャッタハウジング１００が安着され、シャッタハウジング１００の上部には蓋１７０が嵌められて安着部１７４に固定される。
【００４６】
蓋１７０の中央部には上部シャッタハウジング１１０の貫通口１１２に対応する形状の貫通口１７２が形成される。
図７には本発明の第３実施例による小型カメラ用開閉装置が示されている。図面に示されたように、回動レバー１６０の一側に装着溝１８６を形成し、装着溝１８６に引張りバネ１８０を装着する。このとき、引張りバネ１８０の一側端部分はシャッタハウジング１００に形成された係止爪１８２に固定させ、他側端部分は回動レバー１６０に形成された係止輪１８４に固定させる。
【００４７】
このように設けられた引張りバネ１８０は開閉パネル１５０の蓋部１５２を閉める方向に力を加える。即ち、引張りバネ１８０は開閉パネル１５０の閉まった状態を維持させる役割を果たす。このとき、係止爪１８２は上部シャッタハウジング１１０または下部シャッタハウジング１２０に形成されることもできる。
【００４８】
また、回動レバー１６０とシャッタハウジング１００間に引張りバネ１８０が装着される構造以外の構成は本発明の第１実施例と同一に構成される。
前記のように構成された本発明の第３実施例による小型カメラ用開閉装置によると、蓋部1５２を閉めるために回動レバー１６０の把手部１６４を押すと、ストッパー１６６が
支持ホールを外れると共に引張りバネ１８０が回動レバー１６０を引っ張って回動レバー１６０が回転される。その後、回動レバー１６０の回転に連動して蓋部１５２が回転されながら貫通口１１２、１２２を閉めるようになる。
【００４９】
図８は本発明の第４実施例による小型カメラ用開閉装置の斜視図で、図９は図８に示した小型カメラ用開閉装置の背面斜視図であり、図１０は図８に示した小型カメラ用開閉装置の要部斜視図である。
【００５０】
図面に示された小型カメラ用開閉装置は、小型カメラの開放部の縁に固定される中空のフレーム２１０と、該フレームの中心領域に設けられ、開放部を開放するための第１開放口２２２が形成された遮断板２２０と、フレーム２１０上に固定されて電源の供給により磁場を発生する巻線されたコイル２４０と該コイル２４０に正方向及び逆方向の電流を選択的に供給するための制御部と、遮断板２２０と平行な方向にフレーム２１０に回転可能に設けられ、第１開放口２２２に一致する第２開放口２６２が形成される駆動板２６０と、互いに交差してコイル２４０の磁場内に置かれるように駆動板２６０に所定間隔を置いて固定され、コイル２４０に向けた面の極性が相反されるように形成された第１マグネット２７０及び第２マグネット２７２、及び遮断板２２０に支軸支され、駆動板２６０に接
触されて駆動板２６０の回転により回転されて第１開放口２２２を開閉するブレード２８０を含む。
【００５１】
フレーム２１０は小型カメラのレンズに光を通過させるために開放される開放部の縁に設けられる。小型カメラは開放部を取り除いては外部と密閉された構造を持つ。コイル２４０はボビン２５０の周に巻線され、ボビン２５０はフレーム２１０に固定される。
【００５２】
ボビン２５０の中心には第１マグネット２７０と第２マグネット２７２のうちいずれか１つに磁場を集中するための第１磁性体２４２及び第２磁性体２４４が固定される。第１マグネット２７０がコイル２４０の磁場内に位置するときは第１マグネット２７０が第１磁性体２４２の底面に位置し、第２マグネット２７２がコイル２４０の磁場内に位置するときには第２マグネット２７２が第２磁性体２４４の底面に位置する。
【００５３】
フレーム２１０にはコイル２４０が安着され、駆動板２６０の離脱を防止するための蓋板２９０が固定設置される。蓋板２９０には第１開放口２２２に一致する第３開放口２９２が形成される。
【００５４】
第４実施例の開閉装置が装着された小型カメラが設けられる電子機器にはコイル２４０に電源を供給するための制御部が設けられる。また、電子機器には開閉装置を開放したり閉鎖するように制御部を動作させるための夫々のボタンが備えられる。
【００５５】
ブレード２８０には長孔２８２が形成され、駆動板２６０には長孔２８２に結合される突起２６４が形成される。
一方、駆動板２６０がフレーム２１０から離脱するおそれがあるため、駆動板２６０の外部に別途のキャップを設けることにより駆動板２６０の離脱を防止する。ブレード２８０は遮断板２２０と駆動板２６０の間に位置するため離脱が防止される。
【００５６】
以下では上記のように構成された開閉装置の作用を説明する。
図１１は図８に示した小型カメラ用開閉装置から蓋板を取り除いた状態の斜視図で、図１２及び図１３は図１１に示した小型カメラ用開閉装置の使用状態の斜視図である。
【００５７】
普段第１マグネット２７０は磁力で第１磁性体２４２を引っ張ることにより、ブレード２８０をして遮断板２２０の第１開放口２２２と駆動板２６０の第２開放口を閉鎖するようにする。従って、ブレード２８０が図１１のように小型カメラの開放部を閉鎖することにより小型カメラ内に異物が流入されることを防止する。
【００５８】
ユーザーが小型カメラを使用するために電子機器の開放ボタンを押すと、制御部からコイル２４０に一方向に電源を供給する。
これにより、コイル２４０及び第１磁性体２４２と第２磁性体２４４に磁場が発生する。該磁場の極性は第１マグネット２７０の極性と同一な極性である。従って、第１マグネット２７０は反発力により第１磁性体２４２から離脱し、磁場と異なる極性を有する第２マグネット２７２が引力により第２磁性体２４４に近接する。
【００５９】
この過程において、第１マグネット２７０及び第２マグネット２７２が固定された駆動板２６０が回転し、駆動板２６０に形成された突起２６４がブレード２８０の長孔２８２に結合されてブレード２８０を図１２のように回転させる。
【００６０】
突起２６４が長孔２８２に結合されて駆動力を伝達することにより、駆動板２６０とブレード２８０の回転角度の差異による抵抗力が発生しないようになる。
ブレード２８０の回転により遮断板２２０の第１開放口２２２と駆動板２６０の第２開
放口２６２が図１２のように開放される。このように第１開放口２２２及び第２開放口２６２が開放されると、光が小型カメラの開放部に入るためカメラの機能を使用できるようになる。
【００６１】
また電子機器の閉鎖ボタンを押すと、コイル２４０に逆方向の電源が印加されて第１マグネット２７０と第２マグネットが逆方向に動作し、駆動板２６０及びブレード２８０が逆方向に駆動して図１１のように第１開放口２２２及び第２開放口２６２を閉鎖する。このように第１開放口２２２が閉鎖されれば、小型カメラの開放部もまた閉鎖されるため小型カメラ内に異物が流入されることが防止される。
【００６２】
図１４は本発明の第５実施例による小型カメラ用開閉装置の分解斜視図で、図１５及び図１６は図１４に示した小型カメラ用開閉装置の要部結合斜視図で、図１７は図１４に示した小型カメラ用開閉装置の結合状態斜視図で、図１８は図１７に示した小型カメラ用開閉装置の使用状態斜視図である。
【００６３】
図面に示された小型カメラ用開閉装置は、小型カメラの開放部の縁に固定されるリング状のフレーム３１０と、該フレーム３１０の中心領域に設けられ、開放部を開放するための第１開放口３２２が形成された遮断板３２０と、フレーム３１０上にスライディング可能に設けられる把手部３４０と、把手部３４０に固定されてスライディングされ、第１ギヤ歯３５２が形成されたラックギヤ３５０と、遮断板３２０に軸支され、第１ギヤ歯３５２に歯合される第２ギヤ歯３６２が軸支された回転中心から所定半径の円周上に形成される第１リンク３６０、及び第１リンク３６０の回転運動を直線運動で伝達されて第１開放口３２２を開閉できるように遮断板３２０にスライディングされるように設けられる第１ブレード３８０を含む。
【００６４】
フレーム３１０は小型カメラのレンズに光を通過させるために開放される開放部の縁に設けられる。小型カメラは開放部を取り除いては外部と密閉された構造を持つ。フレーム３１０はリング状でなり、把手部３４０はフレーム３１０に沿って所定区間で回転されるように設けられる。
【００６５】
第１リンク３６０には第１長孔３６４が形成され、第１ブレード３８０には第１長孔３６４に結合される第１突起３８２が形成される。フレームに結合されて把手３４０と第１ブレード３８０の離脱を防止するための蓋板３３０が備えられる。
【００６６】
また遮断板３２０に軸支され、第２ギヤ歯３６２に歯合される第３ギヤ歯３７２が軸支された回転中心から所定半径の円周上に形成される第２リンク３７０が備えられる。従って第１リンク３６０と第２リンク３７０は歯合されて反対方向に回転する。
【００６７】
また第２リンク３７０の回転運動を直線運動で伝達されて第１開放口３２２を開閉可能に遮断板３２０にスライドされる第２ブレード３９０が設けられる。第１ブレード３８０と第２ブレード３９０は両側から同時に第１開放口３２２の上を覆って閉鎖したり、同時に開けられて第１開放口３２２を開放する。
【００６８】
遮断板３２０には第１ブレード３８０と第２ブレード３９０がスライディングされるスライディング面３２４が他の部分と高さの差を置いて形成され、第１ブレード３８０と第２ブレード３９０が直線運動をするようにガイドする。また遮断板３２０には第１突起３８２及び第２突起３９２が移動できる第１スライド溝３２６及び第２スライド溝３２８が形成される。
【００６９】
このように２つのブレードが使用されることにより第１開放口３２２を開閉する速度が
２倍速くなる。また２つのブレードが使用されることにより各ブレードの大きさが半分に縮まって制限された空間内において移動するのがさらに自由になる。
【００７０】
第２リンク３７０には第２長孔３７４が形成され、第２ブレード３９０には第２長孔３７４に結合される第２突起３９２が形成される。
フレーム３１０に結合されて把手３４０と第１ブレード３８０及び第２ブレード３９０の離脱を防止し第１開放口３２２に一致する第２開放口３３２をさらに含む。従って遮断板３２０と蓋板３３０に把手３４０と第１ブレード３８０及び第２ブレード３９０が置かれる。また遮断板の下方にも第１リンク３６０及び第２リンク３７０の離脱を防止するための板がフレーム３１０に設けられることもできる。
【００７１】
以下では前記のように構成された開閉装置の作用を説明する。
ユーザーが指で把手３４０を押すと、把手３４０に固定されたラックギヤ３５０が回転するようになる。これによりラックギヤ３５０の第１ギヤ歯３５２に歯合された第２ギヤ歯３６２を有する第１リンク３６０が回転し、第２ギヤ歯３６２に歯合された第３ギヤ歯３７２が第１リンク３６０と反対方向に回転する。
【００７２】
第１リンク３９０が遮断板３２０上において同時に開けられ第１開放口３２２を開放する。
第１ブレード３８０の第１突起３８２は第１リンク３６０の第１長孔３６２に結合されているため、第１リンク３６０の回転運動が第１ブレード３８０の直線運動に切り替わるが抵抗力は発生しない。また、第２ブレード３９０の第２突起３９２も第２リンク３７０の第２長孔３７４に結合されているため、第２リンク３７０の回転運動が第２ブレード３９０の直線運動に切り替わるが抵抗力は発生しない。
【００７３】
このように第１開放口３２２が開放されると、光が小型カメラの開放部に入るためカメラの機能を使用できるようになる。
また、把手３４０方向に回転させると、前記の開放過程と逆順に進行されて第１ブレード３８０と第２ブレード３９０が第１開放口３２２を閉鎖する。
【００７４】
このように第１開放口３２２が閉鎖されると、小型カメラの開放部もまた閉鎖される結果になり小型カメラ内に異物が流入されることが防止される。
図１９は本発明の第６実施例による小型カメラ用開閉装置の分解斜視図で、図２０は図１９に示した小型カメラ用開閉装置の他の角度分解斜視図で、図２１は図１９に示した小型カメラ用開閉装置の結合状態で内部を透明に見せた斜視図である。
【００７５】
図面に示された小型カメラ用開閉装置は、小型カメラのレンズの前方部に設けられカメラの内部に異物が浸透することを防止するために使用される。
このような開閉装置はカメラのレンズの前方部に設けられ、レンズの前方を開放するためのスライディング空間部４１２を有する遮蔽フレーム４１０と、スライディング空間部４１２でスライディングされレンズの前方を開閉し、突起を有するブレードと、遮蔽フレーム４１０に回転可能に結合され、レンズの前方を開放するための中心孔４３２が回転中心に形成され、突起と結合されて自体回転時に突起を移動させてブレードを開閉するためのカム溝を有する回転レバー４３０を含む。
【００７６】
ブレードは対称する位置に設けられる第１ブレード４２０及び第２ブレード４２４でなり、突起は第１ブレード４２０に形成される第１突起４２２と第２ブレード４２４に形成される第２突起４２６でなる。またカム溝は第１突起４２２に結合される第１カム溝４３６と第２突起４２６に結合される第２カム溝４３８でなる。
【００７７】
このように２つのブレードを使用することによりレンズを開閉する速度が２倍速くなる。また２つのブレードが使用されることにより第１ブレード４２０及び第２ブレード４２４の夫々の大きさが半分に縮まることができるため、狭い空間に設けることが可能になる。
【００７８】
一方、回転レバー４３０にはストッピング溝４３４が形成され、回転レバー４３０にはストッピング溝４３４に結合されて回転レバー４３０の回転角度を制限するためのガイドリブ４１４が形成される。また、回転レバー４３０にはユーザーが手で押すことができるように突出した把手が形成される。
【００７９】
このような開閉装置は遮蔽フレーム４１０に結合されたブレードの離脱を防止するためのカバー部材を備える。カバー部材は遮蔽フレーム４１０の上方で回転レバー４３０の離脱を防止するための第１カバー４５０と、遮蔽フレーム４１０の下方で第１ブレード４２０及び第２ブレード４２４の離脱を防止するための第２カバー４６０でなされる。第１カバー４５０及び第２カバー４６０にはレンズの前方部を開放するための第１開放孔４５２及び第２開放孔４６２が形成される。
【００８０】
このような開閉装置は携帯電話などに装着される小型カメラの前方に設けられ、レンズ部に異物が浸透することを防止する。
以下では、前記のように構成された開閉装置の作用を説明する。
【００８１】
図２２は開閉装置が閉まった状態を見せた斜視図で、図２３は図２２においてブレードが開放された状態の斜視図である。
普段開閉装置は第１ブレード４２０及び第２ブレード４２４がレンズの前方を閉鎖してイメージを撮影できないようにする。
一方、カメラを使用するときにはカメラに装着された開閉装置を開放しなければならない。このため、ユーザーが指で回転レバー４３０の把手部４４０を押すと、回転レバー４３０が回転しながら第１カム溝４３６及び第２カム溝４３８が第１突起４２２及び第２突起４２６を水平移動させて第１ブレード４２０と第２ブレード４２４を開放方向に移動させる。第１カム溝４３６と第２カム溝４３８は回転レバー４３０の回転運動を第１ブレード４２０及び第２ブレード４２４の直線運動に変換させる。
これにより、第１ブレード４２０と第２ブレード４２４がスライディング空間部４１２で同時に開けられてレンズを開放し、光が開放されたスライディング空間部４１２を通じてカメラのレンズに入ることになりイメージ撮影機能を使用できるようになる。
一方、カメラを使用しないときには把手部４４０を逆方向に回転させる。これにより、第１ブレード４２０と第２ブレード４２４がレンズを閉鎖する動作が前記の開放過程と逆順に行われる。
このようにスライディング空間部４１２が閉鎖されると、小型カメラの内部が閉鎖されて小型カメラ内に異物が流入されることが防止される。
以上では、本発明の好ましい実施例について説明したが、本発明は前述した実施例に限定されず、特許請求範囲において請求する本発明の要旨から外れることなく当該発明の属する分野において通常の知識を持つ者であれば誰でも多様な変形が可能である。
【図面の簡単な説明】
【００８２】
【図１】本発明の第１実施例による小型カメラ用開閉装置が装着された携帯用端末機の部分断面図。
【図２】図１に示された小型カメラ用開閉装置の斜視図。
【図３】図１に示された小型カメラ用開閉装置の分解斜視図。
【図４】図１に示された小型カメラ用開閉装置の貫通口が閉まった状態の断面図。
【図５】図１に示された小型カメラ用開閉装置の貫通口が開いた状態の断面図。
【図６】本発明の第２実施例による小型カメラ用開閉装置の斜視図。
【図７】本発明の第３実施例による小型カメラ用開閉装置の断面図。
【図８】本発明の第４実施例による小型カメラ用開閉装置の斜視図。
【図９】図８に示された小型カメラ用開閉装置の背面斜視図。
【図１０】図８に示された小型カメラ用開閉装置の要部斜視図。
【図１１】図８に示された小型カメラ用開閉装置から蓋板を取り除いた状態の斜視図。
【図１２】図１１に示された小型カメラ用開閉装置の使用状態斜視図。
【図１３】図１１に示された小型カメラ用開閉装置の使用状態斜視図。
【図１４】本発明の第５実施例による小型カメラ用開閉装置の分解斜視図。
【図１５】図１４に示した小型カメラ用開閉装置の要部結合斜視図。
【図１６】図１４に示した小型カメラ用開閉装置の要部結合斜視図。
【図１７】図１４に示した小型カメラ用開閉装置の結合状態斜視図。
【図１８】図１７に示した小型カメラ用開閉装置の使用状態斜視図。
【図１９】本発明の第６実施例による小型カメラ用開閉装置の分解斜視図。
【図２０】図１９に示された小型カメラ用開閉装置の他の角度分解斜視図。
【図２１】図１９に示された小型カメラ用開閉装置の結合状態で内部を透明に見せた斜視図。
【図２２】図２１の外観斜視図。
【図２３】図２２の使用状態斜視図。
【図２４】従来構造の小型カメラが装着された携帯用端末機を部分的に断面して示した断面図。
【図１】
2009501357.tif 000003
【図２】
2009501357.tif 000004
【図３】
2009501357.tif 000005
【図４】
2009501357.tif 000006
【図５】
2009501357.tif 000007
【図６】
2009501357.tif 000008
【図７】
2009501357.tif 000009
【図８】
2009501357.tif 000010
【図９】
2009501357.tif 000011
【図１０】
2009501357.tif 000012
【図１１】
2009501357.tif 000013
【図１２】
2009501357.tif 000014
【図１３】
2009501357.tif 000015
【図１４】
2009501357.tif 000016
【図１５】
2009501357.tif 000017
【図１６】
2009501357.tif 000018
【図１７】
2009501357.tif 000019
【図１８】
2009501357.tif 000020
【図１９】
2009501357.tif 000021
【図２０】
2009501357.tif 000022
【図２１】
2009501357.tif 000023
【図２２】
2009501357.tif 000024
【図２３】
2009501357.tif 000025
【図２４】
2009501357.tif 000026
【国際調査報告】
2009501357.tif 000027
2009501357.tif 000028